(57)【要約】【課題】両手による安定した把持力と支持力を得ることが出来ながら、新規の浴槽は勿論のこと、既設の浴槽であっても容易に付設でき、且つ、入湯に邪魔になることなく、また、不使用時にも邪魔になることがないようにすること。【解決手段】浴槽１の幅方向の上面を横切る把持部２Ａと、該把持部２Ａに連続する支持部２Ｂとからなる略門型の把持部材２と、該把持部材２の基端部２Ｃ、２Ｃを前記浴槽１に回倒自在に取り付ける取り付け手段３，３とから構成され、且つ、前記取り付け手段３，３が前記浴槽１の長手方向の中間よりも一端部側に偏位して設けられ、前記把持部材２の一部が浴槽１の周壁の上面１Ａに接当支持されるように構成されている小型浴槽用把持器具。【選択図】      図１
2004154525.tif 000002
【特許請求の範囲】
【請求項１】
入浴に際して把持する小型浴槽用把持器具であって、
浴槽１の幅方向の上面を横切る把持部２Ａと、該把持部２Ａに連続する支持部２Ｂとからなる略門型の把持部材２と、
該把持部材２の基端部２Ｃ、２Ｃを前記浴槽１に回倒自在に取り付ける取り付け手段３，３とから構成され、且つ、
前記取り付け手段３，３が前記浴槽１の長手方向の中間よりも一端部側に偏位して設けられ、前記把持部材２の一部が浴槽１の周壁の上面１Ａに接当支持されるように構成されている、
小型浴槽用把持器具。
【請求項２】
前記把持部２Ａが、その長さを調節できるように互いに挿嵌自在に構成されたパイプで構成されている、請求項１の小型浴槽用把持器具。
【請求項３】
前記取り付け手段３、３が、前記浴槽１に対して吸着固定可能な吸着盤３Ａ、３Ａにより構成され、前記基端部２Ｃ、２Ｃがその吸着盤３Ａ，３Ａに対して枢支連結されている、請求項１又は２の小型浴槽用把持器具。
【請求項４】
前記取り付け手段３が、前記浴槽１に対して一体的に固定して設けられている、請求項１又は２の小型浴槽用把持器具。
【請求項５】
前記把持部２Ａには、ラバーグリップ４が摺動自在に嵌められている、請求項１乃至請求項４の小型浴槽用把持具。
【発明の詳細な説明】
【０００１】
【発明の属する分野】
本発明は、入浴に際して把持する家庭用等の小型浴槽用把持具に関する。
【０００２】
【従来の技術】
従来、家庭用等の浅底のバスタブ形式の浴槽、或いは少し深みのある小型浴槽を使用するに、一般人は勿論、特に、身障者、老人等の身体機能の低下、特に手足の筋力低下した人にとっては、入湯による浮力を抑えるのに、浴槽の周壁に手を添えるだけでは身体を安定させることが難しく、独りで安心して入浴できないという問題があった。
【０００３】
そこで、このような人々が小型の浴槽を安全に使用できるようにするために、浴槽本体或いはその周壁等に把持具を設け、入浴に際してこれに掴った状態で湯に浸り、或いは浴槽に対する出入りの手助けとしていた。例えば、特開平１１−４７７８に開示されている如く、浴槽の周壁に手すりを一体的に設けたものがある。
【０００４】
【発明が解決しようとする課題】
しかし、こうした手すりは、小型の浴槽の周壁に一体的に設けられるものであるから、浴槽自体を特別なものとして製造しなければならず、既設の浴槽に対して新たに付設することは出来ない。
【０００５】
また、浅底のバスタブ形式の小型浴槽では通常仰向けに横たわって入湯し、また、少し深みのある小型浴槽では、膝を曲げた座り姿勢で入湯することになるが、上記手すりは、小型の浴槽の周壁に設けられるものであるので、前記入湯姿勢では、片腕を浴槽側壁に沿って伸ばした非常に力の入り難い状態で、この手すりを片手で把持することになり、上述した握力、腕の筋力低下をした老人等では十分な支えを得難いという問題がある。
【０００６】
そこで、本発明者は、入湯姿勢を安定させるため、或いは姿勢を崩した時に掴ることのできる把持具として、筋力低下した老人等でも十分強力に把持力及び支え力を発揮できるようにするべく、従来の片手把持の手すりに代わり、両手で把持できるようにすることを考えた。
【０００７】
一案としては、浴槽の底部にポールを立て、ここにハンドルを設けて把持できりょうにする把持器具であるが、この場合、浴槽自体を特殊なものとして製造しなければならないという問題と、例え、着脱可能な構造を採用しようとしても、そのための着脱手段の金具等を浴槽側にも設けねばならないという問題は残ると共に入湯に際して邪魔になるという問題もある。
【０００８】
また、浴槽の内部に幅方向に渡すようにパイプを設けることも考えたが、この場合も、浴槽と一体的に製造するという欠点は先の考えと同じであり、また、上述の人々の入湯時及び普通の人が使用する場合に邪魔になるという問題も残る。
【０００９】
本発明は、かかる問題点に鑑み、両手による安定した把持力と支持力を得ることが出来ながら、新規の浴槽は勿論のこと、既設の浴槽であっても容易に付設でき、且つ、入湯に邪魔になることなく、また、不使用時にも邪魔になることがないようにした小型浴槽用把持器具を提供することを目的とする。
【００１０】
【課題を解決するための手段】
本発明にかかる小型浴槽用把持器具は、上記目的を達成するために、入浴に際して把持する小型浴槽用把持器具であって、浴槽１の幅方向の上面を横切る把持部２Ａと、該把持部２Ａに連続する支持部２Ｂとからなる略門型の把持部材２と、該把持部材２の基端部２Ｃ、２Ｃを前記浴槽１に回倒自在に取り付ける取り付け手段３，３とから構成され、且つ、前記取り付け手段３，３が前記浴槽１の長手方向の中間よりも一端部側に偏位して設けられ、前記把持部材２の一部が浴槽１の周壁の上面１Ａに接当支持されるように構成されている、という手段を講じた。
【００１１】
【発明の実施の態様】
本発明において、安定した支持力を得るための上記把持部材２の一部が浴槽１の周壁の上面１Ａに接当支持される構成については、その把持部２Ａが浴槽１の周壁の上面１Ａに直接に接当する構成でも、また、前記支持部２Ｂの一部を湾曲乃至変形させて浴槽１の周壁の上面１Ａに接当させるようにしてもよい。
【００１２】
更に、前記把持部２Ａが、その長さを調節できるように互いに挿嵌自在に構成されたパイプで構成されているのが好ましい。これによって、幅の異なる既設の浴槽に対しても、幅調節を自在に行って付設できる。
また、前記取り付け手段３、３が、前記浴槽１に対して吸着固定可能な吸着盤３Ａ、３Ａにより構成され、前記基端部２Ｃ、２Ｃがその吸着盤３Ａ，３Ａに対して枢支連結されているのが好ましい。これによって、把持器具の着脱を格別の機構を設けることなく、既存の吸着盤を用いて既設の浴槽に簡便に着脱できる。
【００１３】
更に、前記取り付け手段３が、前記浴槽１に対して一体的に固定して設けられているのが好ましい。この場合は、浴槽自体の製造に際して一体的に設けるので、浴槽の付設でもって同時に把持器具の付設が可能である。
又、前記把持部２Ａには、ラバーグリップ４が摺動自在に嵌められているのが好ましい。これによって、滑り難く、把持を行い易くできて十分な把持力を発揮させて、尚一層安全に寄与できる。また、ラバーグリップ４を移動させて摺動自在の把持部２Ａの固定させることも可能で、安定した状態で把持できる。
【００１４】
【実施例】
以下、本発明にかかる小型浴槽用の把持器具の好適実施例について、図面を参照して詳述する。
図１は、把持器具を備えた小型浴槽の斜視図であり、浴槽１の幅方向の上面を横切る把持部２Ａと、該把持部２Ａに連続する支持部２Ｂとからなる略門型の把持部材２と、前記把持部材２の基端部２Ｃ、２Ｃを前記浴槽１に回倒自在に取り付ける取り付け手段３，３とから構成されている。
この実施例では、前記把持部材２の素材として、アルミ合金製のパイプが用いられているが、樹脂製のパイプを用いてもよい。
【００１５】
そして、前記取り付け手段３，３が前記浴槽１の長手方向の中間よりも一端部側に偏位して設けられ、前記把持部材２の一部が浴槽１の周壁の上面１Ａに接当支持されるように構成されている。従って、上記取り付け手段３による把持部材２の回倒は、入湯時の使用状態の倒伏状態（図１の実線状態）から、仮想線で示す如く隣接の浴室壁面に凭れさせるように行われるが、前述の回倒状態において、浴槽１の周壁の上面１Ａに接当する当たり部材５を前記支持部材２Ｂの一部に設けるようにし、或いは、前記取り付け手段３に回倒制限部材或いは不安定切り替え機構の如き構成を設けて、所定角度以上回倒しないで所要の回倒位置を保持できるようにするようにし、以って、浴室壁への凭れさせが出来ない場合に対応させるようにすることが出来る。
【００１６】
又、前記把持部２Ａは、図２にも示すように、その長さを調節できるように互いに挿嵌自在に構成されたパイプで構成されている。これによって、既設の浴槽１の幅に容易に適合させて把持器具を付設することが出来る。勿論、前記挿嵌自在とする構造は、完全に抜き出し可能であっても、折り畳み釣竿の如く抜け防止がなされる構造のものであってもよい。
【００１７】
更に、前記取り付け手段３、３は、この実施例では、前記浴槽１に対して吸着固定可能な吸着盤３Ａ、３Ａにより構成され、前記基端部２Ｃ、２Ｃがその吸着盤３Ａ，３Ａに対して枢支連結されている。この吸着盤３Ａは、それ自体公知の構成のもので、図１及び図３に示す如く、一般に普及しているレバー３Ｃの操作によって強力な負圧を発生させることができるものが用いられている。また、３Ｂは、前記把持部２Ａ又は支持部２Ｂに設けられた小型の吸着盤であり、把持部材２の横ブレ、即ち、把持力が真下にかからず、横方向にズレた場合に、把持部材２が浴槽１の幅方向に偏位するブレを防止して安定姿勢を維持する。
尚、前記取り付け手段３が、浴槽自体の製造に際して、浴槽１に対して一体的に固定して設けられても良い。
【００１８】
又、前記把持部２Ａには、図２にも示す如く、ラバーグリップ４が摺動自在に嵌められている。このラバーグリップ４は、把持し易いように指型を供えたものでも、単なる円筒状のものでもよい。また、前記把持部２Ａの略全体に亘って設けられ、前記浴槽１の周壁の上面１Ａへの接当を柔らかいものとして、パイプによる直接接当で浴槽が傷つくの回避するようにしてもよい。
【００１９】
【発明の効果】
本発明にかかる小型浴槽用の把持器具によれば、両手による安定した把持力と浴槽の周壁を利用した支持力を得ることが出来ながら、新規の浴槽は勿論のこと、既設の浴槽であっても容易に付設でき、且つ、回倒構成によって不使用時及び入湯時に邪魔になることがないという顕著な効果を奏するに至った。
本発明のその他の利点は、上記発明の実施の態様の項及び実施例の項において詳述した通りである。
【図面の簡単な説明】
【図１】本発明にかかる小型浴槽用の把持器具の全体の斜視図である。
【図２】本発明にかかる小型浴槽用の把持器具の要部の拡大斜視図である。
【図３】本発明にかかる小型浴槽用の把持器具の取り付け手段の拡大斜視図である。
【符号の説明】
１  浴槽
１Ａ  周壁の上面
２  把持部材
２Ａ  把持部
２Ｂ  支持部
２Ｃ  基端部
３  取り付け手段
３Ａ  吸着盤
４  ラバーグリップ
【図１】
2004154525.tif 000003
【図２】
2004154525.tif 000004
【図３】
2004154525.tif 000005